(57)【特許請求の範囲】
【請求項１】
外面の外装シートと内面の内装シートとの間に吸収体を介在させ、該吸収体が股部位置になるようにパンツ形状に加工した大人用完全パンツ型おむつにおいて、該おむつ前身頃の吸収体のないウェスト部外側の左右に横方向が縦方向より大きい長穴を形成した不織布からなる穴明シート片を突出させて固着し、左右のこれらの穴明シート片の各長穴に外側からそれぞれの着用者本人の人指し指と中指とを引っ掛けるか、または内側からそれぞれの親指を引っ掛けてずり上げることができることを特徴とする大人用完全パンツ型おむつ。
【請求項２】
左右のこれらの穴明シート片の各長穴が着用者本人と同様に介護者にとってもその長穴を使って指に掛けてずり上げることができる請求項１記載の大人用完全パンツ型おむつ。
【請求項３】
手や指が動きにくい着用者本人でも装着しやすくした請求項１または２記載の大人用完全パンツ型おむつ。
【発明の詳細な説明】
【０００１】
【発明の属する技術分野】
本発明は大人用完全パンツ型おむつに関し、特にずり上げ用指掛け部材を付加して取扱い易くしたものである。
【０００２】
【従来の技術及び発明が解決しようとする課題】
高齢者、障害者及び事故等により寝たきりとなった人の排泄の不快感を軽減し、介護者の負担を軽減する目的で大人用の紙おむつ類が種々市販されている。これらの中で完全パンツ型のおむつは下着感覚で扱えるため使用量が次第に増えている。
【０００３】
ところが高齢者等で手や指が不自由な人にとっては、上記のパンツ形状のおむつを自分自身で装着するのは非常に困難である。これは完全パンツ型おむつを装着する際に、健常者であれば難なく指先でつまむことのできるパンツ形状の上端部が薄いために不自由な手や指では非常に掴みにくいからである。また介護者が装着させる際にもスムーズに装着できない難点があった。
【０００４】
【課題を解決するための手段】
本発明はこれに鑑み検討の結果、手や指の不自由な本人でも、また介護者にでも装着し易いずり上げ用指掛け部材付大人用完全パンツ型おむつを開発したものである。
【０００５】
即ち本発明は、指掛け部材をウエスト部の外面に固設したことを特徴とするずり上げ用指掛け部材付大人用完全パンツ型おむつである。そしてこの際指掛け部材としてはウエスト部上端から突出する穴明部材がよく、この場合穴明部材の穴の形としては円形、略円形、楕円形、略楕円形もしくは長円形、又はこれらに類似した形状で、その大きさとして横方向に20〜130mm 及び縦方向に20〜100mm とするのは有効である。
また指掛け部材としては引掛輪も良好である。そしてこの際引掛輪が完全パンツ型おむつの外面に固定する固定部と固定されない円弧状指掛け部からなり、該円弧状指掛け部の円弧の長さをａ及びこの円弧の弦の長さをｂとしたときに 1.2≦ａ／ｂ≦５とするのもよい。
そしてこのような指掛け部材は、完全パンツ型おむつの上端縁から股上長の  1/6 以内、好ましくは1/10以内、及び縦中心線から左右にそれぞれ50mm以上、好ましくは該縦中心線から側端縁までの長さの 1/2以上の範囲に設けるのがよい。
【０００６】
このように指掛け部材を、通常パンツを着用するときに掴むウエスト部に設けることにより、指が自由に動かなくても該部材にいずれかの指を引掛けることができれば、通常のパンツを着用するように腕を引き上げることでパンツ型おむつを着用できる。またこの指掛け部材は該パンツ型おむつの前身頃及び後身頃の両者のウエスト部、又はいずれか一方のウエスト部に設けることができる。そして左右の手のそれぞれの指用に２個１対のものを、前身頃と後身頃のいずれか一方又は両方に設けてもよいし、左右いずれかの手の指用に１個のみを設けてもよい。
【０００７】
また指掛け部材としては、予め穴の明いたシート状の穴明部材がよく、このときの穴の形は円形、楕円形もしくは長円形、又はこれらに類似した形状であればどのような形でもよい。またこのような穴の大きさとしては使う指の本数や太さ等により様々なバリエーションが考えられ、例えば人差し指や中指等の指１本の場合は直径20mmの円形でよいし、例えば指３本の場合は横方向に70mm及び縦方向に40mm程度の長円形の穴がよい。さらに拳全体を使う場合は横方向 130mm及び縦方向 100mmの略楕円形の穴とする。なおこのような穴のうち指１本を対象とする穴は同一穴明部材に１個でなく２個以上設けて、各穴に指を１本ずつを対応させてもよい。
またこのような穴明部材の材料としては不織布が好適であるがこれに限定されるものではない。固定手段としては接着剤やホットメルトにより行えばよいが、これに限定されることなく縫い付けでもよい。なおこの指掛け部材は通常おむつの外側面に固定する。
【０００８】
また引掛輪としては、通常テープ状又は紐状の不織布等を図１（ａ）（ｂ）のように湾曲させてその両端部をおむつの外面に固定したものが有効である。即ち引掛輪として図１（ａ）（ｂ）に示す紙おむつ外面との固定部（７）と円弧状指掛け部（８）を有するものでは、その円弧状指掛け部の円弧の長さをａ及びこの円弧の弦の長さをｂとしたときに、 1.2≦ａ／ｂ≦５とすることで様々な指の場合に最適な大きさのものを選択できる。下表にａとｂの具体的な組合せの例を示す。なお図では引掛輪の円弧状指掛け部（８）は完全パンツ型おむつの上端縁（９）から上方へ突出した状態のものを示したが、突出しない状態で完全パンツ型おむつの外面に固定してもよい。
0004020340.tif 000002
【０００９】
【実施例】
次に本発明を実施例によりさらに説明する。
【００１０】
（実施例１）
大人用完全パンツ型おむつは、一般に図２に示すように外面の外装シートと内面の内装シートとの間に吸収体（１）を介在させ、該吸収体（１）が股部位置になるようにパンツ形状に加工したものである。なお図中（２）はパンツ形状とするためのサイドシール部である。そしてウエスト部には吸収体（１）はなく、一般に不織布を二重に使用して内側の周方向に糸ゴムを複数本並べて挟んだ状態で固定してある。
【００１１】
このような左右の全幅 500mmで股上長 400mmの完全パンツ型おむつの前身頃（３）のウエスト部外側の左右にそれぞれ２本の指を挿入できる横方向50mmで縦方向に30mmの大きさの長穴（４）を形成した不織布からなる穴明シート片（５）を突出させて固着して、本発明のずり上げ部材付大人用完全パンツ型おむつを作製した。なおこのとき該穴明シート片（５）（５）の取付位置は、縦中心線ＰＰを対称中心として左右に互いに 250mm離して左右対称位置であり、さらに該おむつの上端縁から40mm以内とした。
このおむつは本人が装着するときは左右の穴明シート片（５）（５）の各長穴（４）（４）に外側からそれぞれの手の人指し指と中指とを同時に引掛けて用いることができ、又は内側からそれぞれの手の親指を引掛けてずり上げるように使うこともできる。また同様に介護者にとっても、この開口を使って指に掛けてずり上げることができ装着させやすい。
【００１２】
（実施例２）
図３に示すように、図２と同じ大きさの完全パンツ型おむつの前身頃（３）のウエスト部の外装シート面の縦中心線ＰＰを対称中心として両側に互いに 250mm離し、上端縁からの距離ｄ＝20mmの位置に、全長 180mmのテープ状不織布を湾曲させて、両端部のそれぞれ長さｃ＝20mmの固定部（７）を接着剤で固着して円弧の長さａ＝ 140mmの円弧状指掛け部からなる４本の指を掛けて用いる引掛輪（６）（６）を設けた。なおこの円弧状指掛け部の円弧の弦の長さｂは 100mmとした。
【００１３】
本実施例では４本の指を掛ける引掛輪を示したが、１本の指を掛ける引掛輪の場合は上記と同様の完全パンツ型おむつの前身頃のウエスト部の外装シート面の縦中心線ＰＰを対称中心として両側に互いに 330mm離し、上端縁からの距離ｄ＝20mmの位置に、全長 120mmのテープ状不織布を湾曲させて、両端部のそれぞれ長さｃ＝20mmの固定部（７）を接着剤で固定して円弧の長さａ＝80mmの円弧状指掛け部からなる形状とする。なおこの円弧状指掛け部の円弧の弦の長さｂは20mmとした。
また指に代えて握り拳で引掛けを実行する場合の引掛輪は、対称中心の縦中心線ＰＰの両側に互いに 220mm離し、上端縁から距離ｄ＝20mmの位置に、全長 240mmのテープ状不織布を湾曲させて、両端部のそれぞれ長さｃ＝20mmの固定部（７）を接着剤で固定して円弧の長さａ＝ 200mmの円弧状指掛け部からなる形状とする。なおこの場合の円弧の弦の長さｂは 130mmとした。
【００１４】
なおこのような紐状の引掛輪は本実施例のように縦向きばかりでなく、使い易さを考慮すると横向きでも斜向きでもどのような向きに取付けてもよく、またウエスト部以外のおむつ外面に設けてもよい。
【００１５】
【発明の効果】
このように本発明によれば、大人用完全パンツ型おむつは手や指が動きにくい本人でも装着し易くなり、リハビリ上も有効である。また介護者にとっても扱い易くなるので負担の軽減にも効果がある。
【図面の簡単な説明】
【図１】（ａ）（ｂ）共に本発明に係る引掛輪を示す説明図である。
【図２】本発明の一実施例を示す斜視図である。
【図３】本発明の他の実施例を示す斜視図である。
【符号の説明】
１  吸収体
２  サイドシール部
３  前身頃
４  長穴
５  穴明シート片
６  引掛輪
７  固定部
８  円弧状指掛け部
９  おむつの上端縁
【図１】
0004020340.tif 000003
【図２】
0004020340.tif 000004
【図３】
0004020340.tif 000005